(57)【要約】【課題】  包装袋を開封したときに、その一部を蓋体として残すか或いは残さないかを自由に選択できるようにする。【解決手段】  複数の使い捨ておむつ２０を圧縮して並べて収納する包装袋１０を、底面パネル１２と、前面パネル１４ａと、前面パネルと対向する後面パネル１４ｄと、前面パネル１４ａと後面パネル１４ｄに連続する側面パネル１４ｂ、１４ｃと、上面パネル１６とから構成する。前記物品の圧縮方向と略平行な前面パネル１４ａ、及び側面１４ｂ、１４ｃに第１のミシン目３０ａを形成すると共に、前記後面パネル１４ｄには前記第１のミシン目３０ａよりも切断強度の強い第２のミシン目３０ｂを形成する。【選択図】図１
2006290383.tif 000002
【特許請求の範囲】
【請求項１】
底面パネルと、上面パネルと、前記底面パネル及び上面パネルの一端に連続した前面パネルと、該前面パネルに対向する後面パネルと、前記前面パネルに連続した側面パネルからなり、複数の物品を並べて収納した包装体であって、
前記前面パネル及び側面パネルに、第１の切断線を形成すると共に、前記前面パネルに対向する後面パネルには前記第１の切断線よりも切断強度の強い第２の切断線を形成したことを特徴とする包装体。
【請求項２】
請求項１に記載された包装体において、
上下に多段に収納した物品の各段に対応して前記前面パネルと側面パネルに第３の切断線を形成し、かつ一方の側面パネルの第３の切断線の後面パネル隣接端から、該後面パネルに沿って他方の側面パネルの前記第３の切断線まで延びる第４の切断線を形成したことを特徴とする包装体。
【請求項３】
請求項１又は２に記載された包装体において、
前記前面の中央部の切断強度は、該前面の隅部及び前記両側面の切断線の切断強度よりも弱く形成したことを特徴とする包装体。
【請求項４】
請求項１ないし３のいずれかに記載された包装体において、
前記後面に形成した前記第２の切断線は、前記前面に形成した前記第１の切断線より上面パネル寄りに形成し、前記第１の切断線は、前記前面の両端部から前記後面の第２の切断線に向かって傾斜して形成したことを特徴とする包装体。
【請求項５】
請求項１ないし４のいずれかに記載された包装体において、
柔軟な材料からなることを特徴とする包装体。
【発明の詳細な説明】
【技術分野】
【０００１】
本発明は、圧縮して収納した物品を収容し切断線に沿って切断して開封する包装体に関するものである。
【背景技術】
【０００２】
複数の物品を収納する包装体を、保管や輸送のみではなく使用時における容器として使用することが行われている。このような場合、包装体に予めミシン目のような切断線を形成しておき、開封時にこの切断線に沿って切断して物品を１つずつ取り出して使用することが行われている。
【０００３】
ところで、使い捨ておむつのように圧縮可能な物品を圧縮して柔軟な包装体に収納する場合、包装体を開封すると、それによって圧縮力の一部が解放される結果、収納された物品の一部が膨張して型くずれしたり、露出した物品が汚れる等の問題があることから、例えば、使いすておむつを折り畳んで横方向に重ねて配置して上・下段に並べて収容した包装袋において、開封した状態の包装袋に改良を施したものが知られている。即ち、圧縮された使いすておむつが飛び出すことがないように、取手のついた上面の右端中央部付近を出発点として、これより前面及び後面に斜め下方に向かって引き割き用ミシン目を設け、更に、前記出発点と反対側で垂直方向にミシン目を設けることで、開封したときに上段のおむつが扇形に大きく開くことがないようにし、かつ、最上段の使いすておむつを使用し尽したら、第２段目の使いすておむつを取り出すために前記垂直のミシン目に沿って第２段目の使いすておむつの上から２／３の高さ位まで引き割き、開封後は、引き割かれた取り手のついた上面を閉じることにより、蓋の作用をなしてゴミが使いすておむつの中に侵入するのを防止したものが知られている（特許文献１参照）。
【０００４】
この特許文献１に記載された包装袋では、包装袋の引き割かれた取り手のついた上面を蓋にして、開封後の使いすておむつをゴミの侵入を防止しながら容器として利用しているが、この構成では、例えば蓋が不要であるなどの理由で、取り手のついた上面を切り離したくとも容易には切り離すことができない。また、このような場合を考慮して側面パネル全周に切断線を設けておくこともできるが、そうすると、蓋が必要な場合であっても不用意に蓋となる部分まで切断してしまい、蓋がうまく機能しない虞もある。
【特許文献１】実願平４−３１１８６（実開平５−８２８６２号）のＣＤＲＯＭ）
【発明の開示】
【発明が解決しようとする課題】
【０００５】
本発明は、従来の包装袋の前記問題に鑑みてなされたものであって、その目的は、物品を収納した包装体を開封したときに、包装体の一部を蓋体として残すか或いは残さないかを自由に選択できるようにすることである。また、第２の目的は、包装体の開封時に余分に切断したり、或いは取り扱い時などにおいて誤って切断しないようにすることである。
【課題を解決するための手段】
【０００６】
本発明は、底面パネルと、上面パネルと、前記底面パネル及び上面パネルの一端に連続した前面パネルと、該前面パネルに対向する後面パネルと、前記前面パネルに連続した側面パネルからなり、複数の物品を並べて収納した包装体であって、前記前面パネル及び側面パネルに、第１の切断線を形成すると共に、前記前面パネルに対向する後面パネルには前記第１の切断線よりも切断強度の強い第２の切断線を形成したことを特徴とする。
（作用）
包装体の側面パネルに、切断し易い部分と切断し難い部分を形成することで、切断してはならないときに不用意に切断されるのを防止する。
【発明の効果】
【０００７】
本発明によれば、包装体を開封したとき、物品の上側の部分を蓋体として残すことも或いは不要としてこれを切除することも自由に選択可能である。また、開封時に物品の上側の部分を蓋体として残す際や、取扱中に誤って切り開かないようにすることができる。また、蓋体を残す場合には、切断線に沿って蓋体をスムースに開閉することができる。
【発明を実施するための最良の形態】
【０００８】
本発明の包装体の１実施形態に係る包装袋を添付図面を参照して説明する。
図１は本実施形態に係る包装袋を示し、図１Ａはその斜視図、図１Ｂは開封した状態を示す斜視図、図１Ｃ、１Ｄは、それぞれの側面パネルに設けた切断線を示す正面図である。
包装袋１０は、例えば、ポリエチレンシートなどの柔軟な材料でできており、図１Ａに示すように、底面パネル１２と、上面パネル１６と、前記底面パネル１２及び上面パネル１６と上下端で連続した前面パネル１４ａと、前面パネル１４ａに対向する後面パネル１４ｄと、前記前面パネル１４ａ及び後面パネル１４ｄに連続した２枚の側面パネル１４ｂ、１４ｃとからなり、上面パネル１６上に形成された取手１８とからなる六面体として形成されている。
この包装袋１０には、複数の物品、ここでは使い捨ておむつ２０が圧縮された状態で上下２段に並べて収納されている。
【０００９】
包装袋１０の前記側面パネル１４ａ〜１４ｄのうち、使い捨ておむつの圧縮方向と平行な前面パネル１４ａを中心に、この前面パネル１４ａの両側の側面パネル１４ｂ、１４ｃには、図１Ｃに示す連続した第１の切断線であるミシン目３０ａが上面パネル１６に隣接して形成されており、前記前面パネル１４ａと対向する後面パネル１４ｄにも、図１Ｄに示す前記第１の切断線３０ａに連続した第２の切断線であるミシン目３０ｂが形成されている。
【００１０】
ここで、図１Ｃ、１Ｄから明らかなように、第１のミシン目３０ａの切断長さは第２のミシン目３０ｂよりも長く形成されている。従って、第１のミシン目３０ａの切断強さは第２のミシン目３０ｂのそれよりも弱く、より切り裂き易い状態になっている。これにより、使用者が第１のミシン目３０ａを切断してきて第２のミシン目３０ｂに突き当たると、切断に対する抵抗が高くなるため、ミシン目が切り替わったことが分かり、そこで切断を止めることで切り開き過ぎるのが防止できる。
【００１１】
この包装袋１０を開封するときは、開封後に使い捨ておむつ２０の上部を汚れ防止のための蓋体であるカバー１６ａとして利用するときは、前記第１のミシン目３０ａのみを切断し、第２のミシン目３０ｂは切断しないままにしておく。
その状態では、パネルは前記第２のミシン目３０ｂにより折曲し易くなっているため、第２のミシン目３０ｂが設けられていない場合に比してカバー１６ａをスムースに開くことができる。なお、開封後に使い捨ておむつ２０の上部を取り除くときは、第２のミシン目３０ｂをも切断すればよい。
【００１２】
図２は、本発明の第２の実施形態に係る包装袋１０の斜視図である。
この実施形態では、第１のミシン目３０ａは、使い捨ておむつの圧縮方向と平行な前面パネル１４ａの両側の側面パネル１４ｂ（１４ｃ）では、前記前面パネル１４ａからこれと対向する側面パネル１４ｄの上端部に向かって傾斜して、つまりテーパー状に形成されており、従って、前記第２のミシン目３０ｂは後面パネル１４ｄの上端部近傍に形成されている。その他の構成は、第１の実施形態と同様である。
【００１３】
この構成では、包装袋１０の正面パネルとなる側面パネル１４ａ側では、上部パネル１６との間隔Ｗを広く取ることができるから、使い捨ておむつ２０の一端部を大きく露出させて取り出し易くすることができると共に、側面パネル１４ｂ、１４ｃの第１のミシン目３０ａは後面パネル１４ｄの上端方向に向かって傾斜しているから、使い捨ておむつ２０側面を完全に抑えて、それが横に扇状に拡がったり、飛び出したりすることがないようにその側面を十分に拘束支持することができる。
【００１４】
図３は、本発明の第３の実施形態に係る包装袋を示し、図３Ａはその斜視図、図３Ｂは上段に収納した使い捨ておむつを使い切った状態での包装袋の切り取り部分を説明する斜視図、図３Ｃは、図３Ｂに示す切り取り部分を切り取った後の包装袋の斜視図である。
図３Ａに示すように、この実施形態に係る包装袋１０では、その前面パネル１４ａと側面パネル１４ｂ、１４ｃの上端近傍に前記第１のミシン目３０ａが形成されており、これに連続して後面パネル１４ｄの上端近傍には第２のミシン目３０ｂが形成されている。また、本実施形態に係る包装袋１０には、上段の使い捨ておむつ２０を使い切ったときに、その上段の収納部分を切り離すため、上段の使い捨ておむつ２０に対応して第３のミシン目３０ｃが、包装袋１０の前面パネル１４ａと側面パネル１４ｂ、１４ｃの縦方向略中央部分に形成されている。更に、側面パネル１４ｂ、１４ｃの一方に形成された第２のミシン目３０ｃの後面パネル１４ｄ側端部から、後面側パネル１４ｄに沿って上方に延び更に、上面パネル１６か又は後面パネル１４ｄの上端（又はその近傍）を経て他方の側面パネルに至り、他方の側面パネルに形成された第３のミシン目３０ｃの後面パネル１４ｄ側端部まで延びる第４のミシン目３０ｄが形成されている。
【００１５】
ここで、第３及び第４のミシン目の引き裂き強度は前記第１のミシン目と同等にすることが好ましい。また、第４のミシン目は、包装体を形成する前の段階でポリエチレンシートなどの柔軟な材料からなる連続ウエブに形成しておき、これに例えば印刷でマーキングを施しておく。このように構成することにより、包装袋を形成する際にこのマーキングを目印に組立を行うことができ、包装袋１０を組み立てたとき必ず図示の位置に配置することができる。
【００１６】
本実施形態に係る包装袋１０から使い捨ておむつ２０を取り出す場合、先ず、第１のミシン目３０ａを切断し、上面パネル１６部分を前面パネル１４ａ、側面パネル１４ｂ、１４ｃから切り離し、後面パネル１４ｄに設けた第２のミシン目３０ｂを折曲線として利用して、その第２のミシン目を中心に上面パネル１６を開いて包装袋１０を開放する。この状態で上段に収納された使い捨ておむつ２０を取り出し、取り出した後上面パネル１６部分を元の状態に閉じることでゴミなどの侵入が防止できる。なお、上面パネル１６部分をカバー体として利用する必要がない場合には、第２のミシン目３０ｂも切断して上面パネル１６部分を取り除き、収納した使い捨ておむつ２０を露出させておくことも勿論可能である。
【００１７】
次に、上段に収納された使い捨ておむつ２０を使い切ったときには、上段の収納部分つまり、図３Ｂで斜線で示す包装袋１０の上側部分を切り離す。即ち、前記第３の切断線３０ｃと、これに続く第４の切断線３０ｄに沿って前面パネル１４ａ、側面パネル１４ｂ、１４ｃ及び上面パネル１６を切り離す。
このように包装袋１０の上部部分を切り離すと、下段に収納した多数の使い捨ておむつ２０の折り畳んだ折曲部分が露出すると共に、包装袋１０の上部側には後面パネル１４ｄが残り、これを下段に収納された使い捨ておむつ２０の蓋又はカバーとして利用することができる。
この場合、切り残した後面パネル１４ｄが折曲しやすいように、例えば第２のミシン目と同じ切断強度のミシン目を形成し、これを折曲線として利用することができる。
【００１８】
なお、本実施形態では包装袋１０に使い捨ておむつ２０を上下２段に収納する場合について説明したが、縦方向に３段以上に収納する場合であっても、前面パネル、側面パネルに第３及び第４のミシン目と同様のミシン目を形成し、かつ後面パネルにも前記ミシン目を形成することで、各段の使い捨ておむつ２０を使い切る毎に各パネルを順に切断していくことで、同様に使用可能である。
【００１９】
以上で説明した実施形態では、前記前面パネル１４ａを中心に、この前面パネル１４ａの両側の側面パネル１４ｂ、１４ｃには第１のミシン目３０ａ、つまり同じ切断強度を備えたミシン目が形成されているが、包装袋の正面パネルとなる前面パネル１４ａの中央部と隅部及びその両側の側面パネル１４ｂ、１４ｃでミシン目の切断強度に強弱を付けてもよい。次にその実施形態について説明する。
【００２０】
即ち、図４Ａ、４Ｂ、４Ｃは、空の包装袋１０の断面図であり、それぞれ、包装袋１０の側面パネル１４ｂ、１４ｃのミシン目の長さを変えて、切断（引き裂き）強度に強弱を付けたパネルの加工方法を説明する断面図である。
図４Ａは、側面パネル１４ｂ、１４ｃを折り込んで畳んだ部分、いわゆるガゼット部分を備えた包装袋において、ミシン目を形成する場合を示す。
図示のように、包装袋１０内にミシン目形成用の切り込み刃（図示せず）を通さない板Ｐを挿入し、包装袋１０の表面側となる前面パネル１４ａ側から切り込み刃で前面にミシン目を加工する。
【００２１】
この場合、板Ｐで保護した後面パネル１４ｄ部分にはミシン目は形成されないが、ガゼット部は複数のシートが重なっているため、切り込み刃の押圧力を調整することで、ガゼット部では前面パネル１４ａに比してその切り込みを小さくすることができ、その分当該部分の切断又は引き裂き強度を強くすることができる。
【００２２】
また、ミシン目の切断強度は、切り込み刃を、切断強度の弱いエリアでは開き角度の狭い刃を、また、強いエリアでは弱いエリアよりも開き角度が大きな刃を用い、切り込み長さを長くすることで付与することもできる。
【００２３】
図４Ｂは、以上のようにして形成されたミシン目の切断強度を示す。
この実施形態では、図示のように、包装袋１０の正面となる前面パネル１４ａには切断強度が弱い第１のミシン目が形成された中央部分と、切断強度が強い第２のミシン目が形成された隅部分とが形成される。また、側面パネル１４ｂ、１４ｃには切断強度が強い第２のミシン目が形成される。このように、切断強度の弱い第１のミシン目を前面パネル１４ａの中央部のみに設けることで、開封の際には切り易く、かつ不用意には切断され難くし、展示中や取り扱い中などの不用意な切断を防止することができる。
【００２４】
図４Ｃに示す実施形態は、ガゼット部Ｇが形成されていない包装袋１０の実施形態である。この場合も包装袋１０の正面となる前面パネル１４ａには切断強度が弱い第１のミシン目が、また、側面パネル１４ｂ、１４ｃには切断強度の強い第２のミシン目を形成するよう加工を施す。この実施形態においてもミシン目の形成方法は以上で説明したものが適用できる。
【００２５】
本実施形態によれば所定部分のミシン目の強度を強くすることで、包装袋の取扱中等に誤ってミシン目を切り開くことが防止できる。
【図面の簡単な説明】
【００２６】
【図１】図１Ａは、本実施形態に係る包装袋の斜視図、図１Ｂは開封した包装袋の斜視図、図１Ｃ，図１Ｄは側面パネルのミシン目を示す正面図である。
【図２】第２の実施形態に係る包装袋の斜視図である。
【図３】第３の実施形態に係る包装袋の斜視図であり、図３Ａはその斜視図、図３Ｂは上段に収納した使い捨ておむつを使い切った状態での包装袋の切り取り部分を説明する斜視図、図３Ｃは、図３Ｂに示す切り取り部分を切り取った後の包装袋の斜視図である。
【図４】空の包装袋について、ミシン目の加工方法を説明するための断面図である。
【符号の説明】
【００２７】
１０…包装袋、１２…底面パネル、１４ａ…前面パネル、１４ｂ、１４ｃ・・・側面パネル、１４ｄ・・・後面パネル、１６…上面パネル、１８…取手、２０…使い捨ておむつ、３０ａ…第１のミシン目、３０ｂ…第２のミシン目、３０ｃ…第３のミシン目、３０ｄ…第４のミシン目。
【図１】
2006290383.tif 000003
【図２】
2006290383.tif 000004
【図３】
2006290383.tif 000005
【図４】
2006290383.tif 000006